(57)【特許請求の範囲】
【請求項１】
注射針を通過させる案内孔が軸線位置に貫通して穿設された先端口金がチューブ状の可撓性シースの先端に前方から差し込んで取り付けられ、上記可撓性シース内に挿通配置された操作ワイヤを手元側から軸線方向に進退操作することにより上記可撓性シースの先端内に配置された注射針が上記先端口金から突没するようにした内視鏡用穿刺具において、
上記操作ワイヤの先端に真っ直ぐに固着された連結部材の中心軸線位置に上記注射針の基端が固着され、斜めに切り削がれた形状の上記注射針の突先が上記可撓性シースの軸線付近に位置するよう、上記注射針が上記可撓性シース内において傾いた状態に上記連結部材に対して固着されると共に、上記注射針内と上記可撓性シースの手元側内部とを連通させる連通孔が上記連結部材に形成されていることを特徴とする内視鏡用穿刺具。
【請求項２】
上記案内孔の後端部分が、後方へ漸次広がるテーパ状に形成されている請求項１記載の内視鏡用穿刺具。
【請求項３】
上記先端口金の外周面の後端部分が、後方へ漸次細くなるテーパ状に形成されている請求項１又は２記載の内視鏡用穿刺具。
【発明の詳細な説明】
【０００１】
【発明の属する技術分野】
この発明は、体腔内の粘膜等に穿刺するために内視鏡の処置具挿通チャンネル内に挿通して使用される内視鏡用穿刺具に関する。
【０００２】
【従来の技術】
図２は従来の内視鏡用穿刺具を示しており、穿刺針９１を通過させる案内孔９２が軸線位置に貫通して穿設された先端口金９３が、可撓性シース９４の先端に前方から差し込んで固着されている。
【０００３】
穿刺針９１は、可撓性シース９４内に全長にわたって挿通配置された内挿部材９５（チューブ又はワイヤ等）の先端に連結されており、手元側で内挿部材９５を押し引き操作することによって、先端側の穿刺針９１が軸線方向に進退操作されるようになっている。
【０００４】
９６は、穿刺針９１と内挿部材９５とを連結する連結部材であるが、先端口金９３から穿刺針９１を突出させる動作の際には先端口金９３の後端部に当接して、穿刺針９１を一定長さ以上突出させないためのストッパとして機能する。したがって先端口金９３は、そのストッパ機能のためにも必要なものである。
【０００５】
【発明が解決しようとする課題】
穿刺針９１を突出させるために手元側で内挿部材９５を押し込み操作したとき、可撓性シースが湾曲した状態であったり、穿刺針９１又は内挿部材９５に曲がり癖が付いていたりすると、図２に示されるように、斜めに切り削がれた形状の穿刺針９１の突先９１ａが先端口金９２の後端面に突き当たって、穿刺針９１を傷めてしまうことがある。
【０００６】
そこで本発明は、可撓性シースの先端に取り付けられた先端口金に穿刺針の突先が突き当たらず、穿刺針をスムーズに突出させることができる内視鏡用穿刺具を提供することを目的とする。
【０００７】
【課題を解決するための手段】
上記の目的を達成するため、本発明の内視鏡用穿刺具は、穿刺針を通過させる案内孔が軸線位置に貫通して穿設された先端口金が可撓性シースの先端に前方から差し込んで取り付けられ、上記可撓性シース内に配置された穿刺針を手元側からの遠隔操作により進退させて上記先端口金から突没させるようにした内視鏡用穿刺具において、斜めに切り削がれた形状の上記穿刺針の突先が上記可撓性シースの軸線付近に位置するように、上記穿刺針を上記可撓性シース内において傾けて配置したことを特徴とする。
【０００８】
なお、上記案内孔の後端部分が、後方へ漸次広がるテーパ状に形成されていてもよく、上記先端口金の外周面の後端部分が、後方へ漸次細くなるテーパ状に形成されていてもよい。
【０００９】
また、上記穿刺針が注射針であって、上記可撓性シースがチューブ状であり、上記可撓性シース内に挿通配置された操作ワイヤを介して上記穿刺針が手元側から進退操作されるようになっていてもよい。
【００１０】
【発明の実施の形態】
図面を参照して本発明の実施の形態を説明する。
図１は、内視鏡の処置具挿通チャンネルに挿通して使用される内視鏡用注射具の先端部分を示しており、注射針１を通過させるための案内孔２が軸線位置に貫通して穿設された先端口金３が、可撓性シース４の先端に前方から差し込んで固着されている。
【００１１】
可撓性シース４は、例えば加熱処理が施されたフッ素樹脂製のチューブ等によって形成されている。先端口金３は、金属又はプラスチック製であり、可撓性シース４内に差し込まれる部分の外周面には螺旋溝が形成されていて、可撓性シース４の先端部分の内周面としっかり係合している。
【００１２】
先端口金３の外周面の後端部分３ａは、端部側（後方）へ漸次細くなる滑らかなテーパ状に形成されている。その結果、可撓性シース４は、先端口金３が差し込まれている部分から差し込まれていない部分にかけて滑らかな形状変化をしており、組み立て時には、先端口金３と可撓性シース４との間の偏心が抑えられる。
【００１３】
先端口金３の先端部分は可撓性シース４の先端から頭を出しており、その部分は、可撓性シース４の外径寸法とほぼ同じ外径寸法に形成されていて、その中心位置に案内孔２が開口している。案内孔２の後端部分２ａは、端部側（後方）へ漸次太くなる滑らかなテーパ状に形成さている。
【００１４】
注射針１は、先端が斜めに切り削がれた形状の金属製の中空パイプであり、可撓性シース４内に全長にわたって挿通配置された操作ワイヤ５の先端に連結されている。
【００１５】
したがって、手元側で操作ワイヤ５を押し引き操作することによって、先端側の注射針１が軸線方向に進退操作される。操作ワイヤ５は、例えばステンレス鋼線材の単線、撚り線、又は撚り線を単線の周りに形成したもの等によって形成することができる。
【００１６】
６は、注射針１と操作ワイヤ５とを連結する連結部材であり、一端側に注射針１の基端が固着され、他端側に操作ワイヤ５の先端が固着されていて、外周面に形成された連通孔７が注射針１内と連通している。
【００１７】
したがって、手元側から注射筒等によって可撓性シース４内に薬液等を注入すると、その液が可撓性シース４と操作ワイヤ５との間を通って先端側に送られ、連通孔７を通って注射針１の先端から送り出される。
【００１８】
また、先端口金３から注射針１を突出させる動作の際には、連結部材６の先端面が先端口金３の後端部に当接し、連結部材６と先端口金３とが、注射針１を一定長さ以上突出させないためのストッパとして機能する。
【００１９】
注射針１の基端は連結部材６の中心軸線位置に連結されているが、図１に示されるように、注射針１は、斜めに切り削がれた形状の先端部分の突先１ａが可撓性シース４の軸線付近に位置するように、可撓性シース４内に傾けて配置されている。
【００２０】
したがって、手元側から操作ワイヤ５を押し込み操作すると、注射針１が可撓性シース４内を先端側に移動し、その突先１ａが先端口金３の後端面にぶつかることなく、案内孔２内に入る。案内孔２の後端部分２ａがテーパ状に広がっていることもそれに寄与する。
【００２１】
そして、連結部材６の先端面が先端口金３の後端面にぶつかるまで注射針１を先端側いっぱいに押し出した状態にしてから、注射針１を体腔内粘膜面に穿刺して使用される。
【００２２】
なお、本発明は内視鏡用注射具に限らず、シースの先端から針を突出させる構造の各種内視鏡用穿刺具に適用することができる。
【００２３】
【発明の効果】
本発明によれば、突先が可撓性シースの軸線付近に位置するように穿刺針をシース内に傾けて配置したことにより、穿刺針をシースから突出させる操作をしたとき、穿刺針の突端が先端口金の後端面にぶつかることなく案内孔内に入り、穿刺針をスムーズに突出させることができる。案内孔の後端部を後方へ漸次広がるテーパ状に形成し、また先端口金の外周面の後端部分を後方へ漸次細くなるテーパ状に形成することも、さらにそれに寄与する。
【図面の簡単な説明】
【図１】本発明の実施の形態の内視鏡用穿刺具の側面断面図である。
【図２】従来の内視鏡用穿刺具の側面断面図である。
【符号の説明】
１  注射針（穿刺針）
１ａ  突先
２  案内孔
３  先端口金
４  可撓性シース
５  操作ワイヤ
６  連結部材
【図１】
0003787214.tif 000002
【図２】
0003787214.tif 000003